(57)【要約】【課題】カップホルダ装置の飛び出しの防止。【解決手段】引出使用部材９を、略起立状態の格納位置と略水平の使用位置とに変位するように設けた収納部材Ｆに設ける。引出使用部材９は収納ケース１０への押し込み操作により係止機構１４の係止状態を解除して引き出す。引き出された引出使用部材９を収納ケース１０に押し込むと係止機構１４が係合して収納状態となる。収納部材Ｆが格納位置では係止機構１４の係止解除させるための引出使用部材９の移動を規制して、引出使用部材９の収納状態を保持する規制手段２５を設けた引出使用装置。【選択図】図７
2010083423.tif 000002
【特許請求の範囲】
【請求項１】
収納ケース１０に収納される収納状態と前記収納ケース１０外に引き出して使用する使用状態に切替え自在の引出使用部材９を、略起立状態の格納位置と略水平の使用位置とに変位するように設けた収納部材Ｆに設け、前記引出使用部材９は、少なくとも、前記収納ケース１０に収納された状態で該収納ケース１０の奥側に所定距離前記引出使用部材９を押し込む操作により、収納ケース１０に引出使用部材９を格納保持させる係止機構１４の係止状態が解除されて引き出され、引き出された引出使用部材９を収納ケース１０に押し込むと係止機構１４が係合して収納状態となり、押し込み操作の反復により収納状態と使用状態の交互に切替えるように構成し、前記収納部材Ｆが格納位置では前記係止機構１４の係止解除させるための引出使用部材９の移動を規制して、該引出使用部材９の収納状態を保持する規制手段２５を設けた引出使用装置。
【請求項２】
請求項１において、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成した引出使用装置。
【請求項３】
請求項２において、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成した引出使用装置。
【請求項４】
請求項３において、前記ストッパ体２６の当接体２７の規制位置と許容位置との切替えは、前記収納部材Ｆの使用位置から格納位置への回動に連動して自動的に行うように構成した引出使用装置。
【請求項５】
請求項４において、前記引出使用部材９の引出し方向の前側の回転軸２８にはウエイト３１を固定し、前記ストッパ体２６を当接体２７とウエイト３１により構成した引出使用装置。
【請求項６】
請求項５において、前記当接体２７は前記収納部材Ｆが略水平の使用位置で前記回転軸２８の後面側に斜め上向きに突出するように固定し、前記ウエイト３１は回転軸２８の前面側に固定した引出使用装置。
【請求項７】
請求項６において、前記ウエイト３１の重心位置Ｗは、前記収納部材Ｆが使用位置では回転軸２８の中心より引出使用部材９の引出方向の前方に位置させると共に、回転軸２８の中心より上方に位置させて構成した引出使用装置。
【請求項８】
請求項７において、前記ブラケット２９には、当接体２７を規制位置と許容位置の夫々に保持させる規制位置ストッパ３５および許容位置ストッパ３６を設けた引出使用装置。
【請求項９】
請求項１または請求項２または請求項３または請求項４または請求項５または請求項６または請求項７または請求項８において、前記引出使用部材９は収納ボックス９Ｂにより構成した引出使用装置。
【請求項１０】
請求項１または請求項２または請求項３または請求項４または請求項５または請求項６または請求項７または請求項８において、前記引出使用部材９は収納テーブル９Ｃにより構成した引出使用装置。
【請求項１１】
収納ケース１０に収納される収納状態と該収納ケース１０から外に引き出して使用される使用状態に切り替え自在の引出使用部材であるカップ支持体９Ａを、略起立状態の格納位置と略水平の使用位置とに変位する車両室内に設けた収納部材Ｆに設け、前記カップ支持体９Ａは、少なくとも、前記収納ケース１０に収納された状態で収納ケース１０の奥側に所定距離前記カップ支持体９Ａを押し込む操作により、収納ケース１０にカップ支持体９Ａを格納保持させる係止機構１４の係止状態が解除されて引き出され、引き出された引出使用部材９を収納ケース１０に押し込むと係止機構１４が係合して収納状態となり、押し込み操作の反復により収納状態と使用状態との交互に切替えるように構成し、前記収納部材Ｆが格納位置では前記係止機構１４の係止解除させるためのカップ支持体９Ａの移動を規制して、カップ支持体９Ａの収納状態を保持する規制手段２５を設けたカップホルダ装置。
【請求項１２】
請求項１１において、前記規制手段２５はストッパ体２６をカップ支持体９Ａに設けて構成し、該ストッパ体２６は、収納部材Ｆが格納位置ではカップ支持体９Ａが係止機構１４の係止解除のための押し込み方向移動を規制する規制位置と、収納部材Ｆが使用位置では、カップ支持体９Ａの押し込み方向へのストッパ体２６による移動規制を解除する許容位置との夫々に変位するように構成したカップホルダ装置。
【請求項１３】
請求項１２において、前記ストッパ体２６は当接体２７の基部を回転軸２８に固定して構成し、回転軸２８はブラケット２９に回転自在に軸装し、該ブラケット２９はカップ支持体９Ａの引出方向の後側のカップ支持体９Ａに固定し、前記収納部材Ｆが略水平の使用状態では当接体２７は回転軸２８の後面側に斜め上向きに突出するように固定し、前記収納部材Ｆが略水平の使用状態では当接体２７の先端と収納ケース１０の奥側所定位置に設けた当接壁３０との間に、係止機構１４を係止解除させるためにカップ支持体９Ａが所定距離移動しうる長さの間隔Ｋを有するように構成し、前記収納部材Ｆが略起立した格納位置では当接体２７は回転軸２８中心に回動して当接体２７の先端と収納ケース１０の当接壁３０との間に係止機構１４を係止解除させるためのカップ支持体９Ａの移動量よりも狭い隙間Ｓを形成するように構成したカップホルダ装置。
【請求項１４】
請求項１３において、前記ストッパ体２６の当接体２７の規制位置と許容位置との切替えは、収納部材Ｆの使用位置から格納位置への回動に連動して自動的に行うように構成したカップホルダ装置。
【請求項１５】
請求項１４において、前記カップ支持体９Ａの引出方向の前側の回転軸２８にはウエイト３１を固定し、前記ストッパ体２６を当接体２７とウエイト３１により構成したカップホルダ装置。
【請求項１６】
請求項１５において、前記当接体２７は収納部材Ｆが略水平の使用位置のとき、回転軸２８の前記カップ支持体９Ａの引出方向の後面側に斜め上向きに突出するように固定し、ウエイト３１は回転軸２８の前記カップ支持体９Ａの引出方向の前面側に固定したカップホルダ装置。
【請求項１７】
請求項１６において、前記ウエイト３１の重心位置Ｗは、収納部材Ｆの使用位置では回転軸２８の中心より前方に位置させると共に、回転軸２８の中心より上方に位置させて構成したカップホルダ装置。
【請求項１８】
請求項１７において、前記ブラケット２９には、当接体２７を規制位置と許容位置とに保持させる規制位置ストッパ３５および許容位置ストッパ３６を設けたカップホルダ装置。
【請求項１９】
請求項１１または請求項１２または請求項１３または請求項１４または請求項１５または請求項１６または請求項１７または請求項１８において、前記収納部材Ｆは、車両シート１の着座者の腕部分を支持するアームレスト４としたカップホルダ装置。
【発明の詳細な説明】
【技術分野】
【０００１】
本発明は、カップホルダ装置のホルダ支持体や、収納ボックス、あるいはテーブル（トレー）等の不使用時には収納ケースに収納し、使用時には収納ケースから引出して使用する引出使用部材の、引出使用装置に係るものである。
【背景技術】
【０００２】
従来、例えば、起立状態の格納位置と略水平の使用位置とに変位するアームレストに、アームレスト内の収納ケースに収納される収納状態とアームレストから外に引き出される使用状態に切り替え自在の切替移動使用部材であるカップ支持体を有するカップホルダ装置を設けた構成は、公知である（特許文献１参照）。
公知例のカップホルダ装置は、カップ支持体を常時収納ケースから飛び出す使用状態に向けて移動するように付勢する付勢手段と、付勢手段の付勢力に抗してカップ支持体を収納ケース内に留める係止機構とにより構成し、収納状態のカップ支持体を収納ケースに少し押し込むと収納ケースから引き出されて使用状態となり、使用状態から収納ケースに押し込むと係止機構が係合して収納状態となり、押し込み操作を反復すると、収納状態と使用状態とが交互に切替えるようにしている。
【特許文献１】特開２００６ー４４４３９号公報
【発明の開示】
【発明が解決しようとする課題】
【０００３】
前記公知例のカップホルダ装置は、係止機構によるカップ支持体の係止力が弱く、アームレストが格納状態で衝撃を受けたとき、係止機構の係合（係止）が外れることがあるという課題がある。
即ち、通常衝撃による荷重は前後方向（横方向）であり、アームレストを起立させていれば、カップ支持体の移動方向と荷重が掛かる方向とは交差するから、カップ支持体が収納ケースから飛び出すことはないと思慮されていたが、実際には、稀に、アームレストが格納状態で衝撃を受けると、係止機構の係合（係止）が外れることがある。
本願は、係止機構はカップ支持体が収納状態のときカップ支持体の引き出し方向の移動には係合状態を保持して引き出しを停止させるが、係止機構は収納状態からカップ支持体を少し押し込む方向の移動は停止させないので、収納状態のカップ支持体が何らかの原因によって一旦押し込み方向に移動すると、係止機構の係合が外れてしまう虞があることに鑑み、収納部材が格納位置にあるときでは、何らかの原因に起因する押し込み方向の引出使用部材の移動自体を規制して、係止機構の係合が外れるのを防止するように工夫したものである。
【課題を解決するための手段】
【０００４】
本発明は、収納ケース１０に収納される収納状態と前記収納ケース１０外に引き出して使用する使用状態に切替え自在の引出使用部材９を、略起立状態の格納位置と略水平の使用位置とに変位するように設けた収納部材Ｆに設け、前記引出使用部材９は、少なくとも、前記収納ケース１０に収納された状態で該収納ケース１０の奥側に所定距離前記引出使用部材９を押し込む操作により、収納ケース１０に引出使用部材９を格納保持させる係止機構１４の係止状態が解除されて引き出され、引き出された引出使用部材９を収納ケース１０に押し込むと係止機構１４が係合して収納状態となり、押し込み操作の反復により収納状態と使用状態の交互に切替えるように構成し、前記収納部材Ｆが格納位置では前記係止機構１４の係止解除させるための引出使用部材９の移動を規制して、該引出使用部材９の収納状態を保持する規制手段２５を設けた引出使用装置としたものである。
本発明は、前記規制手段２５はストッパ体２６を引出使用部材９に設けて構成し、該ストッパ体２６は収納部材Ｆが格納位置では引出使用部材９が係止機構１４の係止解除のための押し込み方向移動を規制する規制位置に、収納部材Ｆが使用位置では、引出使用部材９の押し込み方向へのストッパ体２６による移動規制を解除する許容位置の夫々に変位するように構成した引出使用装置としたものである。
本発明は、前記ストッパ体２６は当接体２７の基部を回転軸２８に固定して構成し、該回転軸２８はブラケット２９に回転自在に軸装し、該ブラケット２９は引出使用部材９の引出し方向の後側の引出使用部材９に固定し、前記収納部材Ｆが略水平の使用状態では当接体２７は回転軸２８の後面側に斜め上向きに突出するように固定し、前記収納部材Ｆの使用状態では当接体２７の先端と収納ケース１０の奥側（後側）所定位置に設けた当接壁３０との間に、係止機構１４を係止解除させるために引出使用部材９が所定距離移動しうる長さの所定の間隔Ｋを有するように構成し、前記収納部材Ｆが起立した格納位置では当接体２７は回転軸２８中心に回動して当接体２７の先端と収納ケース１０の当接壁３０との間に、係止機構１４を係止解除させるための引出使用部材９の移動量よりも狭い所定距離の隙間Ｓを形成するように構成した引出使用装置としたものである。
本発明は、前記ストッパ体２６の当接体２７の規制位置と許容位置との切替えは、前記収納部材Ｆの使用位置から格納位置への回動に連動して自動的に行うように構成した引出使用装置としたものである。
本発明は、前記引出使用部材９の引出し方向の前側の回転軸２８にはウエイト３１を固定し、前記ストッパ体２６を当接体２７とウエイト３１により構成した引出使用装置としたものである。
本発明は、前記当接体２７は前記収納部材Ｆが略水平の使用位置で前記回転軸２８の後面側に斜め上向きに突出するように固定し、前記ウエイト３１は回転軸２８の前面側に固定した引出使用装置としたものである。
本発明は、前記ウエイト３１の重心位置Ｗは、前記収納部材Ｆが使用位置では回転軸２８の中心より引出使用部材９の引出方向の前方に位置させると共に、回転軸２８の中心より上方に位置させて構成した引出使用装置としたものである。
本発明は、前記ブラケット２９には、当接体２７を規制位置と許容位置の夫々に保持させる規制位置ストッパ３５および許容位置ストッパ３６を設けた引出使用装置としたものである。
本発明は、前記引出使用部材９は収納ボックス９Ｂにより構成した引出使用装置としたものである。
本発明は、前記引出使用部材９は収納テーブル９Ｃにより構成した引出使用装置としたものである。
本発明は、収納ケース１０に収納される収納状態と該収納ケース１０から外に引き出して使用される使用状態に切り替え自在の引出使用部材であるカップ支持体９Ａを、略起立状態の格納位置と略水平の使用位置とに変位する車両室内に設けた収納部材Ｆに設け、前記カップ支持体９Ａは、少なくとも、前記収納ケース１０に収納された状態で収納ケース１０の奥側に所定距離前記カップ支持体９Ａを押し込む操作により、収納ケース１０にカップ支持体９Ａを格納保持させる係止機構１４の係止状態が解除されて引き出され、引き出された引出使用部材９を収納ケース１０に押し込むと係止機構１４が係合して収納状態となり、押し込み操作の反復により収納状態と使用状態との交互に切替えるように構成し、前記収納部材Ｆが格納位置では前記係止機構１４の係止解除させるためのカップ支持体９Ａの移動を規制して、カップ支持体９Ａの収納状態を保持する規制手段２５を設けたカップホルダ装置としたものである。
本発明は、前記規制手段２５はストッパ体２６をカップ支持体９Ａに設けて構成し、該ストッパ体２６は、収納部材Ｆが格納位置ではカップ支持体９Ａが係止機構１４の係止解除のための押し込み方向移動を規制する規制位置と、収納部材Ｆが使用位置では、カップ支持体９Ａの押し込み方向へのストッパ体２６による移動規制を解除する許容位置との夫々に変位するように構成したカップホルダ装置としたものである。
本発明は、前記ストッパ体２６は当接体２７の基部を回転軸２８に固定して構成し、回転軸２８はブラケット２９に回転自在に軸装し、該ブラケット２９はカップ支持体９Ａの引出方向の後側のカップ支持体９Ａに固定し、前記収納部材Ｆが略水平の使用状態では当接体２７は回転軸２８の後面側に斜め上向きに突出するように固定し、前記収納部材Ｆが略水平の使用状態では当接体２７の先端と収納ケース１０の奥側所定位置に設けた当接壁３０との間に、係止機構１４を係止解除させるためにカップ支持体９Ａが所定距離移動しうる長さの間隔Ｋを有するように構成し、前記収納部材Ｆが略起立した格納位置では当接体２７は回転軸２８中心に回動して当接体２７の先端と収納ケース１０の当接壁３０との間に係止機構１４を係止解除させるためのカップ支持体９Ａの移動量よりも狭い隙間Ｓを形成するように構成したカップホルダ装置としたものである。
本発明は、前記ストッパ体２６の当接体２７の規制位置と許容位置との切替えは、収納部材Ｆの使用位置から格納位置への回動に連動して自動的に行うように構成したカップホルダ装置としたものである。
本発明は、前記カップ支持体９Ａの引出方向の前側の回転軸２８にはウエイト３１を固定し、前記ストッパ体２６を当接体２７とウエイト３１により構成したカップホルダ装置としたものである。
本発明は、前記当接体２７は収納部材Ｆが略水平の使用位置のとき、回転軸２８の前記カップ支持体９Ａの引出方向の後面側に斜め上向きに突出するように固定し、ウエイト３１は回転軸２８の前記カップ支持体９Ａの引出方向の前面側に固定したカップホルダ装置としたものである。
本発明は、前記ウエイト３１の重心位置Ｗは、収納部材Ｆの使用位置では回転軸２８の中心より前方に位置させると共に、回転軸２８の中心より上方に位置させて構成したカップホルダ装置としたものである。
本発明は、前記ブラケット２９には、当接体２７を規制位置と許容位置とに保持させる規制位置ストッパ３５および許容位置ストッパ３６を設けたカップホルダ装置としたものである。
本発明は、前記収納部材Ｆは、車両シート１の着座者の腕部分を支持するアームレスト４としたカップホルダ装置としたものである。
【発明の効果】
【０００５】
請求項１では、規制手段２５が、収納部材Ｆが格納位置のとき、係止機構１４の係止解除方向の引出使用部材９の移動を規制でき、収納部材Ｆの格納位置における引出使用部材９の収納状態の保持の確実性を向上させることができる。そして、収納部材Ｆが使用位置のときには引出使用部材９の引き出し操作を行って、引出使用部材９を使用状態にできる。
請求項２では、規制手段２５のストッパ体２６が係止機構１４の係止解除方向の引出使用部材９の移動を規制する規制位置と、係止機構１４の係止解除方向の引出使用部材９の移動を許容する許容位置とに変位するから、収納部材Ｆが格納位置のときの引出使用部材９の収納状態の保持ができ、収納部材Ｆが使用位置のときには引出使用部材９の引き出し操作により引出使用部材９を使用状態にできる。
請求項３では、ストッパ体２６は、当接体２７の先端と収納ケース１０の奥側（後側）所定位置に設けた当接壁３０との間に、係止機構１４の係止解除のための引出使用部材９の移動量をより長い長さの間隔Ｋを有しているので、ストッパ体２６の当接体２７は収納部材Ｆが使用位置のときには係止機構１４の係止解除方向の引出使用部材９の移動を許容し、引出使用部材９を押し込み操作すると、係止機構１４の係合が解除され、引出使用部材９を引き出して使用状態にできる。
また、収納部材Ｆが起立した格納位置では当接体２７の先端と収納ケース１０の当接壁３０との間に係止機構１４の係止解除のための引出使用部材９の移動量よりも狭い隙間Ｓを形成しているから、係止機構１４の係止解除方向の荷重による引出使用部材９の移動自体を規制でき、係止機構１４の係止状態を保持して、引出使用部材９の収納状態を保持できる。
請求項４では、収納部材Ｆを使用位置から格納位置に回動させるだけで、当接体２７は回転軸２８中心に回動して規制位置に移動して、引出使用部材９の収納状態を保持でき、反対に、収納部材Ｆを格納位置から使用位置へ回動させると、ストッパ体２６の当接体２７は許容位置に移動し、引出使用部材９の引き出し操作が可能となり、操作性を向上させることができる。
請求項５では、規制位置と許容位置とに移動させる規制手段２５のストッパ体２６を簡素な構成で実現でき、コストを低くできる。
請求項６では、許容位置の当接体２７を簡素な構成で実現でき、コストを低くできる。
請求項７では、規制位置と許容位置とに自動切り替え構成を、ウエイト３１の重心位置Ｗの位置を工夫することにより簡素な構成で実現でき、コストを低くできる。
請求項８では、当接体２７の規制位置と許容位置との自動切り替え構成を、確実に作動させることができる。
請求項９では、規制手段２５が、収納部材Ｆが格納位置のとき、係止機構１４の係止解除方向の収納ボックス９Ｂの移動を規制でき、収納部材Ｆの格納位置における収納ボックス９Ｂの収納状態の保持の確実性を向上させることができる。そして、収納部材Ｆが使用位置のときには収納ボックス９Ｂの引き出し操作を行って、収納ボックス９Ｂを使用状態にできる。
請求項１０では、規制手段２５が、収納部材Ｆが格納位置のとき、係止機構１４の係止解除方向の収納テーブル９Ｃの移動を規制でき、収納部材Ｆの格納位置における収納テーブル９Ｃの収納状態の保持の確実性を向上させることができる。そして、収納部材Ｆが使用位置のときには収納テーブル９Ｃの引き出し操作を行って、収納テーブル９Ｃを使用状態にできる。
請求項１１では、規制手段２５が、収納部材Ｆが格納位置のとき、係止機構１４の係止解除方向のカップ支持体９Ａカップ支持体９Ａの移動を規制でき、収納部材Ｆの格納位置におけるカップ支持体９Ａの収納状態の保持の確実性を向上させることができる。そして、収納部材Ｆが使用位置のときにはカップ支持体９Ａの引き出し操作を行って、カップ支持体９Ａを使用状態にできる。
請求項１２では、規制手段２５のストッパ体２６が係止機構１４の係止解除方向のカップ支持体９Ａの移動を規制する規制位置と、係止機構１４の係止解除方向のカップ支持体９Ａの移動を許容する許容位置とに変位するから、収納部材Ｆが格納位置のときのカップ支持体９Ａの収納状態の保持ができ、収納部材Ｆが使用位置のときにはカップ支持体９Ａの引き出し操作によりカップ支持体９Ａを使用状態にできる。
請求項１３では、ストッパ体２６の当接体２７の先端と収納ケース１０の奥側（後側）所定位置に設けた当接壁３０との間に、係止機構１４の係止解除のためのカップ支持体９Ａの移動量より長い長さの間隔Ｋを有しているので、収納部材Ｆが使用位置のときには、ストッパ体２６の当接体２７は係止機構１４の係止解除方向のカップ支持体９Ａの移動を許容し、カップ支持体９Ａを押し込み操作すると、係止機構１４の係合が解除され、カップ支持体９Ａを引き出して使用状態にできる。
また、収納部材Ｆが起立した格納位置では当接体２７は回転軸２８中心に回動して当接体２７の先端と収納ケース１０の当接壁３０との間には係止機構１４の係止解除のためのカップ支持体９Ａの移動量よりも狭い隙間Ｓを形成しているから、係止機構１４の係止解除方向の荷重がカップ支持体９Ａに掛かっても、カップ支持体９Ａの移動自体を規制でき、収納部材Ｆが格納位置のときのカップ支持体９Ａの収納状態を保持できる。
請求項１４では、収納部材Ｆを使用位置から格納位置に回動させるだけで、当接体２７は回転軸２８中心に回動して規制位置に移動して、カップ支持体９Ａの収納状態を保持でき、反対に、収納部材Ｆを格納位置から使用位置へ回動させると、ストッパ体２６の当接体２７は許容位置に移動し、カップ支持体９Ａの引き出し操作が可能となり、操作性を向上させることができる。
請求項１５では、規制位置と許容位置とに移動させる規制手段２５のストッパ体２６を簡素な構成で実現でき、コストを低くできる。
請求項１６では、許容位置の当接体２７を簡素な構成で実現でき、コストを低くできる。
請求項１７では、規制位置と許容位置とに自動切り替え構成を、ウエイト３１の重心位置Ｗの位置を工夫することにより簡素な構成で実現でき、コストを低くできる。
請求項１８では、当接体２７の規制位置と許容位置とに自動切り替え構成を、確実に作動させることができる。
請求項１９では、収納部材Ｆを車両シート１の着座者の腕部分を支持するアームレスト４としたから、アームレスト４を起立させているときのホルダ支持体９Ａの飛び出しを防止できる。
【発明を実施するための最良の形態】
【０００６】
本発明の引出使用装置の実施例を、先ず、引出使用部材９をカップ支持体９Ａとし、収納部材Ｆを車両シート１の着座者の腕部分を支持するアームレスト４とした例にて図面により説明する。
１は車両用等のシート、２は座席シート、３は背凭シート、４はアームレスト４であり、実施例のアームレスト４は背凭シート３に軸５により略水平の使用位置と起立する格納位置とに回動自在に取付けているが、取付位置は任意であり、車体側でもよい。
アームレスト４には、引出使用部材９であるカップ支持体９Ａを有するカップホルダ装置（引出使用装置）８を設ける。カップホルダ装置８は、カップ支持体９Ａ（引出使用部材９）と、該カップ支持体９Ａ（引出使用部材９）を収納する収納ケース１０とを有して構成し、カップ支持体９Ａ（引出使用部材９）が収納ケース１０内に収納される収納状態と、収納ケース１０から引き出される使用状態とに切替自在に構成する。
【０００７】
したがって、カップホルダ装置８は、カップ支持体９Ａが収納ケース１０に対して出入りし、カップ支持体９Ａ（引出使用部材９）を収納ケース１０から引き出して使用するので、引出使用装置を構成する。
なお、本願の要旨はカップ支持体９Ａ（引出使用部材９）の出入りの規制に関するものであり、カップ支持体９Ａ（引出使用部材９）の形状等に関わるカップホルダ装置８の構成あるいはカップ支持体９Ａ（引出使用部材９）の出入りさせる具体的構成は要件でなく、また、カップ支持体９Ａ（引出使用部材９）の形状も任意であり、所謂ホルダ１１のみでカップやボトルを保持するものの他に、ホルダ１１の下方にトレー１３を設ける構成でもよい。
前記カップホルダ装置８は、前記カップ支持体９Ａ（引出使用部材９）が、少なくとも、収納ケース１０に収納された状態で収納ケース１０の奥側に所定距離押し込む押込操作が行われると、カップ支持体９Ａ（引出使用部材９）を収納ケース１０に格納させる係止機構１４の係止状態を解除するように構成する。
【０００８】
例えば、カップ支持体９Ａ（引出使用部材９）を使用状態にするための押込操作がされて、係止機構１４の係止状態が解除され、カップ支持体９Ａ（引出使用部材９）を収納ケース１０に押し込むと、係止機構１４により係止して格納状態を保持するように構成する。
係止機構１４の一例を示すと、カップ支持体９Ａ（引出使用部材９）と収納ケース１０の何れか一方側に係合ピン１９を設け、他方側にハートカム溝２０を形成して構成する。ハートカム溝２０は所謂ハート型に形成し、カップ支持体９Ａ（引出使用部材９）が収納ケース１０に対して押し込み操作されて格納位置で操作力を解放すると、係止（係合）状態になり、次のカップ支持体９Ａ（引出使用部材９）の押し込み操作により係止解除され、係止解除されると、カップ支持体９Ａ（引出使用部材９）の引き出しが可能となる。
【０００９】
また、カップホルダ装置８には、収納ケース１０から引き出し方向に向けてカップ支持体９Ａ（引出使用部材９）を移動するように付勢する付勢手段１５を設けると、付勢手段１５と係止機構１４とにより、収納状態のカップ支持体９Ａ（引出使用部材９）を収納ケース１０に少し押し込むと、係止機構１４の係止状態が解除され、付勢手段１５の付勢により収納ケース１０からカップ支持体９Ａ（引出使用部材９）が引き出されて使用状態となり、カップ支持体９Ａ（引出使用部材９）を使用状態から収納ケース１０に押し込むと、カップ支持体９Ａ（引出使用部材９）を収納状態に保持する係止状態となり、カップ支持体９Ａ（引出使用部材９）の押込操作により、収納状態と使用状態とが交互に反復するようになって、操作性が向上して好適である。
前記付勢手段１５は例えばバネ１６により構成し、カップ支持体９Ａ（引出使用部材９）の押し込み操作により係止機構１４の係止解除すると、付勢手段１５によりカップ支持体９Ａ（引出使用部材９）を自動的に引き出し位置に移動させる。
【００１０】
また、実施例では、バネ１６の弾力による、収納ケース１０からカップ支持体９Ａ（引出使用部材９）を押し出す際の速度が、一定となるようにダンパ手段１７を設けている。１８はダンパ手段１７の回転ギヤ（図示省略）が噛み合うラックである。
しかして、カップホルダ装置８は、カップ支持体９Ａ（引出使用部材９）がアームレスト４（収納部材Ｆ）の使用位置のとき、アームレスト４（収納部材Ｆ）から引き出されて使用可能となり、アームレスト４（収納部材Ｆ）が格納位置のときは収納ケース１０に収納するようにすると共に、アームレスト４（収納部材Ｆ）が格納位置のとき収納されたカップ支持体９Ａ（引出使用部材９）が収納ケース１０より引き出し位置に規制手段２５の作用により出ないように構成する。
規制手段２５は、ストッパ体２６をカップ支持体９Ａ（引出使用部材９）に設け、ストッパ体２６はアームレスト４（収納部材Ｆ）が格納位置のときカップ支持体９Ａ（引出使用部材９）が係止機構１４の係止解除のための押込操作を規制するように構成する。
【００１１】
即ち、ストッパ体２６は、アームレスト４（収納部材Ｆ）が格納位置のとき、例え着座者が意図した操作ではなく、衝撃等により起因する荷重の作用で起こるカップ支持体９Ａ（引出使用部材９）の押し込み方向への移動でも、押し込み方向の移動自体を規制し、係止機構１４の係止解除となる押し込み方向移動を不能にして、係止機構１４の係止解除を規制し、収納されたカップ支持体９Ａ（引出使用部材９）が、収納ケース１０から使用状態（引出位置）へ移動しないように構成する。
そして、ストッパ体２６はアームレスト４（収納部材Ｆ）が使用位置のときには、カップ支持体９Ａ（引出使用部材９）の押し込み方向へのストッパ体２６による移動規制を解除し、係止機構１４の係止解除のための押込操作を可能とし、カップ支持体９Ａ（引出使用部材９）の押込操作による係止機構１４の係止解除で、使用状態（引出位置）へカップ支持体９Ａ（引出使用部材９）が移動するように構成する。
【００１２】
したがって、前記ストッパ体２６は、カップ支持体９Ａ（引出使用部材９）の収納ケース１０の奥側に向かう方向の移動自体を規制する規制位置と、カップ支持体９Ａ（引出使用部材９）の移動を許容する許容位置との間変位するように構成する。
ストッパ体２６は当接体２７の基部を回転軸２８に固定し、回転軸２８はブラケット２９に回転自在に軸装し、ブラケット２９はカップ支持体９Ａ（引出使用部材９）の後側に固定する。
【００１３】
理解を容易にするため、アームレスト４（収納部材Ｆ）からカップ支持体９Ａ（引出使用部材９）が引き出される方向を前側、カップ支持体９Ａ（引出使用部材９）が格納される方向を後側として説明すると（理解を容易にするためであるので、アームレスト４の使用位置における方向を前提とし、格納位置における方向ではカップ支持体９Ａ（引出使用部材９）の移動方向は上下方向となるが、説明が複雑になるので省略し、特に記載した場合を除きカップ支持体９Ａの移動方向は前後としているが、これらの表現により構成は限定されない）、アームレスト４（収納部材Ｆ）が略水平の使用位置では当接体２７は回転軸２８の後面側に斜め上向きに突出するように位置し、この状態では当接体２７の先端と収納ケース１０の奥側（後側）所定位置に設けた当接壁３０との間に、係止機構１４の係止解除のためのカップ支持体９Ａ（引出使用部材９）の移動量を許容しうる長さの間隔Ｋを有するように構成する。
【００１４】
次に、アームレスト４（収納部材Ｆ）が起立した格納位置では当接体２７は、回転軸２８中心に回動して当接体２７の先端と収納ケース１０の当接壁３０との間に、係止機構１４の係止解除のためのカップ支持体９Ａ（引出使用部材９）の移動量よりも狭い隙間Ｓを、形成するように構成する。
したがって、ストッパ体２６は、当接体２７が当接壁３０に対して隙間Ｓのみ有するとき、係止機構１４の係止解除のためのカップ支持体９Ａ（引出使用部材９）の移動自体を規制する規制位置となり、当接体２７が当接壁３０に対して広い間隔Ｋを有するとき、係止機構１４の係止解除のためのカップ支持体９Ａ（引出使用部材９）の移動を許容する許容位置となる。
ストッパ体２６の当接体２７の規制位置と許容位置との変位は、アームレスト４（収納部材Ｆ）の使用位置から格納位置への回動に連動して自動的に行うように構成する。
【００１５】
当接体２７を規制位置と許容位置とに変位させる構成は任意であるが、一例を示すと、当接体２７の反対側の回転軸２８の前面側にウエイト３１を固定し、ストッパ体２６を当接体２７とウエイト３１により構成する。
アームレスト４（収納部材Ｆ）が略水平の使用位置で、当接体２７は回転軸２８の後面側に斜め上向きに突出するように位置し、回転軸２８の前面側にウエイト３１を位置するように構成する。
この場合、ウエイト３１の重心位置Ｗは、アームレスト４（収納部材Ｆ）の使用位置では回転軸２８の中心より前方に位置し、係止機構１４の係止解除に伴うカップ支持体９Ａ（引出使用部材９）の移動量より大きな前記間隔Ｋを当接壁３０との間に形成するようにして、当接体２７を許容位置に保持し、アームレスト４（収納部材Ｆ）を所定角度以上に起立させると、重心位置Ｗは回転軸２８の鉛直線Ｌより後方に移動して、ウエイト３１は回動して当接体２７を規制位置に回動させるように構成する。
【００１６】
しかして、前記ブラケット２９には、当接体２７を規制位置と許容位置とに保持させるストッパ３５、３６を設ける。
規制位置ストッパ３５は当接体２７が規制位置に位置するとき当接体２７に当接して、図７において、当接体２７の時計回転方向の回動を停止させる位置に設ける。
許容位置ストッパ３６は当接体２７が許容位置に位置するときウエイト３１に当接して、図５において、当接体２７の反時計回転方向の回動を停止させる位置に設ける。
規制位置ストッパ３５および許容位置ストッパ３６はブラケット２９の一部を屈曲させて形成し、規制位置ストッパ３５および許容位置ストッパ３６の夫々には当接体２７あるいはウエイト３１が当たるときの異音の発生を防止する消音部材４０を設ける。
【００１７】
しかして、前記アームレスト４（収納部材Ｆ）は略水平の使用位置と起立する格納位置とに切り替えられればよいが、略水平の使用位置と起立する格納位置との間の所定範囲において、傾斜角度を調節してに所望高さ保持する高さ調節装置を設けてもよく、この場合、アームレスト４（収納部材Ｆ）は略水平位置を含む所定角度の範囲が使用位置（状態）となる使用範囲（図示省略）であり、使用範囲を越えて起立させると格納位置となるが、この場合、規制手段２５によるカップ支持体９Ａ（引出使用部材９）の引き出し操作を規制対象となる範囲の設定は任意であり、使用位置と格納位置の夫々にアームレスト４（収納部材Ｆ）が上下回動する所定幅を持たせることも可能であり、理解を容易にするため、便宜上、使用位置（状態）あるいは格納位置と言う表現を用いているに過ぎず、換言すると、カップ支持体９Ａ（引出使用部材９）はアームレスト４（収納部材Ｆ）が略水平の使用位置付近で引き出して使用可能となり、カップ支持体９Ａ（引出使用部材９）の使用可能範囲を越えてアームレスト４（収納部材Ｆ）を起立させると、規制手段２５によりカップ支持体９Ａ（引出使用部材９）の係止機構１４の係止解除方向の移動を規制する。
【００１８】
しかして、図１０は、前記引出使用部材９を収納ボックス９Ｂにより構成した引出使用装置の実施例であり、収納ケース１０に対して収納ボックス９Ｂを出入り自在に構成し、収納ボックス９Ｂは、アームレスト４（収納部材Ｆ）の使用位置のとき、アームレスト４（収納部材Ｆ）から引き出されて使用可能となり、アームレスト４（収納部材Ｆ）が格納位置のときは収納ケース１０に収納するようにすると共に、アームレスト４（収納部材Ｆ）が格納位置のとき収納された収納ボックス９Ｂが収納ケース１０より引き出し位置に規制手段２５の作用により出ないように構成している。
この場合、図示は省略するが、収納ボックス９Ｂを収納ケース１０内への収納状態保持する前記係止機構１４および係止機構１４の係止状態が解除されたとき、収納ケース１０から引き出し方向に向けて収納ボックス９Ｂを移動するように付勢する付勢手段１５を設けている。
また、収納ボックス９Ｂの規制手段２５はカップホルダ装置８の規制手段２５と同一構成でよいが、実施例では収納ボックス９Ｂに取付ける取付ける上下一対の取付部４５を設けている（図１１）。
【００１９】
しかして、図１２は、前記引出使用部材９を収納テーブル９Ｃにより構成した引出使用装置の実施例であり、収納ケース１０に対して出入り自在に構成し、収納テーブル９Ｃは、アームレスト４（収納部材Ｆ）の使用位置のとき、アームレスト４（収納部材Ｆ）から引き出されて使用可能となり、アームレスト４（収納部材Ｆ）が格納位置のときは収納ケース１０に収納するようにすると共に、アームレスト４（収納部材Ｆ）が格納位置のとき収納された収納テーブル９Ｃ収納ケース１０より引き出し位置に規制手段２５の作用により出ないように構成している。
この場合、収納ボックス９Ｂと同様に収納テーブル９Ｃの実施例でも、図示は省略するが、収納ケース１０内への収納状態保持する前記係止機構１４および係止機構１４の係止状態が解除されたとき、収納ケース１０から引き出し方向に向けて収納テーブル９Ｃを移動するように付勢する付勢手段１５を設けている。
また、収納テーブル９Ｃの規制手段２５は収納ボックス９Ｂの規制手段２５（図１１）と同一構成でよい。
また、前記収納部材Ｆは、アームレスト４に限らず、起立状態から略水平位置の間変位するものであれば良く、例えば、センターコンソールでもよい。
【００２０】
（実施例の作用）
アームレスト４（収納部材Ｆ）は、起立状態の格納位置から略水平位置に回転軸５中心に下方回動させると、使用位置となる。
アームレスト４（収納部材Ｆ）にはカップホルダ装置８が設けられ、カップホルダ装置８は、ホルダカップ支持体９Ａ（引出使用部材９）と該カップ支持体９Ａ（引出使用部材９）を収納する収納ケース１０とを有し、カップ支持体９Ａ（引出使用部材９）が収納ケース１０内に収納される収納状態と、収納ケース１０から引き出される使用状態とに切替自在に構成しているので、アームレスト４（収納部材Ｆ）が使用位置のとき、カップホルダ装置８のカップ支持体９Ａ（引出使用部材９）を操作すると、カップ支持体９Ａ（引出使用部材９）は収納ケース１０から引き出されて使用状態となる。
【００２１】
この場合、どのようにして、カップホルダ装置８のカップ支持体９Ａ（引出使用部材９）が引き出して収納するかの手段・構成は任意であるが、例えば、カップ支持体９Ａ（引出使用部材９）を常時収納ケース１０から押し出す方向に向けて移動するように付勢する付勢手段１５と、付勢手段１５の付勢力に抗してカップ支持体９Ａ（引出使用部材９）を収納ケース１０内に留める係止機構１４とを有して構成すると、付勢手段１５と係止機構１４とにより、収納状態のカップ支持体９Ａ（引出使用部材９）を収納ケース１０に少し押し込むと付勢手段１５の付勢力により収納ケース１０から引き出されて使用状態となり、使用状態から収納ケース１０に押し込むと収納状態となり、押込操作を反復すると、収納状態と使用状態とを交互に切替えて、操作可能となる。
【００２２】
そして、本願では、少なくとも、収納状態のカップ支持体９Ａ（引出使用部材９）を奥側に押し込むという押込操作により、係止機構１４の係止状態が解除するように構成しており、アームレスト４（収納部材Ｆ）が格納位置のときは規制手段２５により収納されたカップ支持体９Ａ（引出使用部材９）が係止機構１４の係止解除のための奥側への移動を規制するように構成しているので、アームレスト４（収納部材Ｆ）が格納位置のときは、仮に、カップ支持体９Ａ（引出使用部材９）の引き出し操作であるカップ支持体９Ａ（引出使用部材９）の奥側への押し込みがされようとしても、カップ支持体９Ａ（引出使用部材９）は規制手段２５により移動自体が規制されて収納状態が維持される。
【００２３】
規制手段２５は、ストッパ体２６をカップ支持体９Ａ（引出使用部材９）に設け、ストッパ体２６はアームレスト４（収納部材Ｆ）が格納位置のときカップ支持体９Ａ（引出使用部材９）が係止機構１４の係止解除のための押し込み方向の移動を規制するように構成しており、ストッパ体２６がアームレスト４（収納部材Ｆ）の格納位置のときのカップ支持体９Ａ（引出使用部材９）の押し込み方向への移動自体を不能にするように構成しているので、アームレスト４（収納部材Ｆ）が格納位置のときは係止機構１４の係止解除のための押込操作を行おうとしても、ストッパ体２６がカップ支持体９Ａ（引出使用部材９）の押し込み方向への移動を規制し、それゆえ、係止機構１４の係止解除されず、カップ支持体９Ａ（引出使用部材９）は規制手段２５により収納状態が保持される。
したがって、アームレスト４（収納部材Ｆ）が格納位置のときでは、例え着座者が意図した操作ではなく、衝撃等により発生する荷重Ｇの作用で起こるカップ支持体９Ａ（引出使用部材９）の押し込み方向への移動でも、カップ支持体９Ａ（引出使用部材９）の移動を規制手段２５が規制し、収納されたカップ支持体９Ａ（引出使用部材９）を、収納ケース１０から引き出し方向に移動させない。
【００２４】
一方、規制手段２５のストッパ体２６はアームレスト４（収納部材Ｆ）が使用位置のときには、カップ支持体９Ａ（引出使用部材９）の押し込み方向へのストッパ体２６による移動規制を解除する許容位置に位置するので、係止機構１４の係止解除のための押込操作を可能とし、カップ支持体９Ａ（引出使用部材９）の押込操作により係止機構１４の係止解除をして使用状態（引出位置）へカップ支持体９Ａ（引出使用部材９）を移動させられる。
このように、規制手段２５は、カップ支持体９Ａ（引出使用部材９）の収納ケース１０の奥側に向かう方向の移動を規制する規制位置と、カップ支持体９Ａ（引出使用部材９）の移動を許容する許容位置との間変位するストッパ体２６により構成しているので、簡素に構成できる。
【００２５】
ストッパ体２６は、当接体当接体２７の基部を回転軸２８に固定し、回転軸２８はブラケットブラケット２９に回転自在に軸装し、ブラケット２９はカップ支持体９Ａ（引出使用部材９）の後側に固定し、アームレスト４（収納部材Ｆ）が略水平の使用位置では当接体２７は回転軸２８の後面側に斜め上向きに突出するように位置し、この状態では当接体２７の先端と収納ケース１０の奥側（後側）所定位置に設けた当接壁３０との間に、係止機構１４の係止解除のためのカップ支持体９Ａ（引出使用部材９）の移動量を許容しうる長さの間隔Ｋを有するように構成しているから、アームレスト４（収納部材Ｆ）が使用位置のとき、ストッパ体２６は移動規制を解除する許容位置に位置するので、カップ支持体９Ａ（引出使用部材９）の押し込み方向へ押すと、カップ支持体９Ａ（引出使用部材９）は当接壁３０までの間隔Ｋの長さ分の奥側（後側・下側）への移動が許容され、これにより、係止機構１４の係止解除のための押込操作が可能となって、係止機構１４の係止解除によりカップ支持体９Ａ（引出使用部材９）は使用状態に引き出される。
【００２６】
しかして、アームレスト４（収納部材Ｆ）が起立した格納位置では当接体２７は回転軸２８中心に回動して当接体２７の先端と収納ケース１０の当接壁３０との間には係止機構１４の係止解除のためのカップ支持体９Ａ（引出使用部材９）の移動量よりも狭い隙間Ｓを形成するように構成しているから、ストッパ体２６は当接体２７が当接壁３０に対して隙間Ｓの長さしかないので、係止機構１４の係止解除のためのカップ支持体９Ａ（引出使用部材９）の移動を規制する規制位置となり、着座者の意図したカップ支持体９Ａ（引出使用部材９）の引き出し操作のみならず、着座者の意図しない衝撃等による発生する荷重の作用で起こるカップ支持体９Ａ（引出使用部材９）の押し込み方向への移動も規制手段２５が規制し、収納されたカップ支持体９Ａ（引出使用部材９）を、収納ケース１０から引き出し方向に移動させない。
【００２７】
また、アームレスト４（収納部材Ｆ）を使用位置にすると、当接体２７が当接壁３０に対して広い間隔Ｋを有し、当接体２７は係止機構１４の係止解除のためのカップ支持体９Ａ（引出使用部材９）の移動を許容する許容位置となって、係止機構１４の係止解除のための押込操作が可能となって、係止機構１４の係止解除によりカップ支持体９Ａ（引出使用部材９）を使用状態に引き出すことができる。
しかして、ストッパ体２６の当接体２７の規制位置と許容位置との変位は、アームレスト４（収納部材Ｆ）の使用位置から格納位置への回動に連動して自動的に行うように構成しているから、特別な操作を不要として、カップ支持体９Ａ（引出使用部材９）の引き出しとカップ支持体９Ａ（引出使用部材９）の飛び出しの規制とを行え、操作性を向上させられる。
【００２８】
当接体２７を規制位置と許容位置とに変位させる構成は、例えば、当接体２７の反対側の回転軸２８にウエイト３１を固定し、ストッパ体２６を当接体２７とハートカム溝２０により構成しているので、簡素な構成となり、組立工数を減少させ、コストを低くできる。
当接体２７はアームレスト４（収納部材Ｆ）が略水平の使用位置のとき、回転軸２８の後面側に斜め上向きに突出するように固定し、ウエイト３１は回転軸２８の前面側に固定しているから、アームレスト４（収納部材Ｆ）が略水平の使用位置のとき、ウエイト３１は図７において当接体２７が反時計方向へ回転させるように付勢し、当接体２７を許容位置に位置させる。
また、アームレスト４（収納部材Ｆ）が格納位置のとき、ウエイト３１は図５において当接体２７が時計方向へ回転させるように付勢し、当接体２７を規制位置に変位させる。
【００２９】
この場合、ウエイト３１の重心位置Ｗは、アームレスト４（収納部材Ｆ）の使用位置では回転軸２８の中心より前方に位置しているから、係止機構１４の係止解除に伴うカップ支持体９Ａ（引出使用部材９）の移動量より大きな前記間隔Ｋを当接壁３０との間に形成するようにして、当接体２７を許容位置に保持する。
また、ウエイト３１の重心位置Ｗは、アームレスト４（収納部材Ｆ）の使用位置において、回転軸２８の中心より上方に位置しているから、アームレスト４（収納部材Ｆ）を所定角度以上に起立させると、重心位置Ｗは回転軸２８の鉛直線Ｌより後方に移動し、ウエイト３１は回動して当接体２７を規制位置に回動させる。
しかして、前記ブラケット２９には、当接体２７を規制位置と許容位置とに保持させる規制位置ストッパ３５および許容位置ストッパ３６を設け、規制位置ストッパ３５は当接体２７が規制位置に位置するとき当接体２７に当接して、図７において、当接体２７の時計回転方向の回動を停止させる位置に設けているから、当接体２７およびウエイト３１を所定位置に待機させて、規制位置を保持する。
【００３０】
また、許容位置ストッパ３６は当接体２７が許容位置に位置するときウエイト３１に当接して、図５において、当接体２７の反時計回転方向の回動を停止させる位置に設けているので、許容位置に保持させる。
規制位置ストッパ３５および許容位置ストッパ３６はブラケット２９の一部を屈曲させて形成しているから、簡素な構成となり、組立工数を減少させ、コストを低くできる。
また、規制位置ストッパ３５および許容位置ストッパ３６の夫々には当接体２７あるいはウエイト３１が当たるときの異音の発生を防止する消音部材４０を設けているので、ストッパ体２６が規制位置と許容位置とに変位するときの異音の発生を防止できる。
なお、以上のように、理解を容易にするため、カップ支持体９Ａ（引出使用部材９）の移動方向を前後方向として説明しているが、アームレスト４（収納部材Ｆ）が格納位置のときはカップ支持体９Ａ（引出使用部材９）の移動方向が上下方向となることがあり、これらの表現によって構成は限定されない。
【図面の簡単な説明】
【００３１】
【図１】シートとアームレストの斜視図。
【図２】カップホルダ装置の使用状態の斜視図。
【図３】カップホルダ装置の分解斜視図。
【図４】ハートカム機構の平面図および断面図。
【図５】アームレストが使用位置における規制手段の側面図。
【図６】アームレストが使用位置における規制手段とカップ支持体と当接壁の位置関係を示す概略斜視図。
【図７】アームレストが格納位置における規制手段の側面図。
【図８】アームレストが使用位置から格納位置を経て使用位置に戻る間のアームレストと規制手段の位置関係を示す説明図。
【図９】規制手段の斜視図。
【図１０】収納ボックスを引出使用部材とする実施例の斜視図。
【図１１】収納ボックスの規制手段の斜視図。
【図１２】収納テーブルを引出使用部材とする実施例の斜視図。
【符号の説明】
【００３２】
１…車両用等のシート、２…座席シート、３…背凭シート、４…アームレスト、
５…軸、８…カップホルダ装置、９…引出使用部材、９Ａ…カップ支持体、９Ｂ…収納ボックス、９Ｃ…収納テーブル、１０…収納ケース、１１…ホルダ、１４…係止機構、１５…付勢手段、１６…バネ、１７…ダンパ手段、１８…ラック、１９…係合ピン、２０……ートカム溝、２５…規制手段、２６…ストッパ体、２７…当接体、２８…回転軸、２９…ブラケット、３０…当接壁、３１…ウエイト、３５…規制位置ストッパ、３６…許容位置ストッパ、４０…消音部材、４５…取付部、Ｆ…収納部材、Ｋ…間隔、Ｓ…隙間、Ｗ…重心位置。
【図１】
2010083423.tif 000003
【図２】
2010083423.tif 000004
【図３】
2010083423.tif 000005
【図４】
2010083423.tif 000006
【図５】
2010083423.tif 000007
【図６】
2010083423.tif 000008
【図７】
2010083423.tif 000009
【図８】
2010083423.tif 000010
【図９】
2010083423.tif 000011
【図１０】
2010083423.tif 000012
【図１１】
2010083423.tif 000013
【図１２】
2010083423.tif 000014